(57)【要約】【解決手段】複数の瓦２を互いに並べて屋根材として配置する特定並設状態Ｐにある瓦ユニット１の瓦２の表面に、絵柄に相当する絵柄見本６（多孔質部または塗布孔）を有するシート５を重ね、そのシート５の絵柄見本６に絵付け材を塗布した後、そのシート５を瓦２の表面に対し加熱処理して、この絵付け材を瓦２の表面に絵柄として絵付けするとともに、その加熱処理によりこのシート５を除去する。【効果】瓦ユニット１に絵柄を容易に設けることができる。絵柄見本６を有するシート５を瓦ユニット１に貼り付ければ、その絵柄見本６により瓦ユニット１の表面に絵付け材を容易に塗布することができる。瓦２に絵付け材の一部を絵付けするために、その瓦２を焼成または焼付けする際、シート片を瓦２からわざわざ分離させることなく、シート片を瓦２に貼り付けたままで除去することができる。【選択図】図４
2008231899.tif 000002
【特許請求の範囲】
【請求項１】
多孔質シートを瓦の表面に重ね、その多孔質シートに絵付け材を塗布した後、その多孔質シートを瓦の表面に対し加熱処理して、この絵付け材を瓦の表面に絵柄として絵付けするとともに、その加熱処理によりこの多孔質シートを除去することを特徴とする瓦に対する絵付け方法。
【請求項２】
絵柄に相当する絵柄見本を有するシートを瓦の表面に重ね、そのシートの絵柄見本に絵付け材を塗布した後、そのシートを瓦の表面に対し加熱処理して、この絵付け材を瓦の表面に絵柄として絵付けするとともに、その加熱処理によりこのシートを除去することを特徴とする瓦に対する絵付け方法。
【請求項３】
複数の瓦を互いに並べて屋根材として配置する特定並設状態にある瓦ユニットの瓦の表面に、絵柄に相当する絵柄見本を有するシートを重ね、そのシートの絵柄見本に絵付け材を塗布した後、そのシートを瓦の表面に対し加熱処理して、この絵付け材を瓦の表面に絵柄として絵付けするとともに、その加熱処理によりこのシートを除去することを特徴とする瓦に対する絵付け方法。
【請求項４】
前記シートの絵柄見本は多孔質部または塗布孔であることを特徴とする請求項２または請求項３に記載の瓦に対する絵付け方法。
【請求項５】
複数の瓦を互いに並べて屋根材として配置する特定並設状態にある瓦ユニットの瓦の表面に剥離紙を剥がした絵柄転写シ−トを重ね、その絵柄転写シートを瓦の表面に対し加熱処理して、この絵柄転写シ−トの絵柄を瓦の表面に絵付けするとともに、その加熱処理によりこの絵柄のみを残してこの絵柄転写シ−トを除去することを特徴とする瓦に対する絵付け方法。
【請求項６】
複数の瓦を互いに並べて屋根材として配置する特定並設状態にある瓦ユニットの瓦の表面に、絵柄に相当する塗布孔を有するシートを重ね、そのシートの塗布孔で露出する瓦の表面に絵付け材を塗布した後、そのシートを瓦の表面から分離して瓦の表面に残った絵付け材を加熱処理により絵柄として絵付けすることを特徴とする瓦に対する絵付け方法。
【請求項７】
複数の瓦を互いに並べて屋根材として配置する特定並設状態にある瓦ユニットの瓦の表面に、絵付け材を塗布した後、その絵付け材を瓦の表面に加熱処理により絵柄として絵付けすることを特徴とする瓦に対する絵付け方法。
【発明の詳細な説明】
【技術分野】
【０００１】
本発明は、例えば互いに組み合わされて纏まった絵柄が施される絵柄瓦ユニットに絵付けする方法に関するものである。
【背景技術】
【０００２】
従来、屋根に敷かれた瓦群としては、意匠的効果を発揮させる明確な目的で纏まった絵柄が描かれたものは見当たらない。
【発明の開示】
【発明が解決しようとする課題】
【０００３】
そのため、従来の瓦屋根は意匠的効果に劣る欠点があった。そこで、本出願人は、瓦屋根の意匠的効果を向上させる絵柄瓦ユニット（特願２００６−３０１０７号参照）を提供している。
【０００４】
この発明は、このような絵柄瓦ユニットなどの瓦に対する絵付け方法を提供することを目的としている。
【課題を解決するための手段】
【０００５】
後記実施形態の図面（図１〜３，４ａ，４ｂ，６，７，１２，１３に示す第１実施形態、図１〜３，４ａ，５，６，７，１２，１３に示す第２実施形態、図１〜３，４ａ，５，６，８，１２，１３に示す第３実施形態、図１〜３，４ａ，８，１２，１３に示す第４実施形態、図１〜３，４ａ，９，１０，１１，１２，１３に示す第５実施形態）の符号を援用して本発明を説明する。
【０００６】
請求項１の発明にかかる瓦に対する絵付け方法（第１実施形態に対応）においては、多孔質シート５を瓦２の表面に重ね、その多孔質シート５に絵付け材７を塗布した後、その多孔質シート５を瓦２の表面に対し加熱処理して、この絵付け材７を瓦２の表面に絵柄８（絵柄片８ａ）として絵付けするとともに、その加熱処理によりこの多孔質シート５を除去する。請求項１の発明では、絵付け材７が浸透する多孔質シート５を利用して瓦２に絵柄８（絵柄片８ａ）を容易に設けることができる。
【０００７】
請求項２の発明にかかる瓦に対する絵付け方法（第１，２実施形態に対応）においては、絵柄８に相当する絵柄見本６を有するシート５を瓦２の表面に重ね、そのシート５の絵柄見本６に絵付け材７を塗布した後、そのシート５を瓦２の表面に対し加熱処理して、この絵付け材７を瓦２の表面に絵柄８（絵柄片８ａ）として絵付けするとともに、その加熱処理によりこのシート５を除去する。請求項２の発明では、絵柄８に相当する絵柄見本６を有するシート５を利用して瓦２に絵柄８（絵柄片８ａ）を容易に設けることができる。
【０００８】
請求項３の発明にかかる瓦に対する絵付け方法（第１，２実施形態に対応）においては、複数の瓦２を互いに並べて屋根材として配置する特定並設状態Ｐにある瓦ユニット１の瓦２の表面に、絵柄８に相当する絵柄見本６を有するシート５を重ね、そのシート５の絵柄見本６に絵付け材７を塗布した後、そのシート５を瓦２の表面に対し加熱処理して、この絵付け材７を瓦２の表面に絵柄８として絵付けするとともに、その加熱処理によりこのシート５を除去する。請求項３の発明では、絵柄８に相当する絵柄見本６を有するシート５を利用して瓦ユニット１に絵柄８を容易に設けることができる。
【０００９】
請求項２または請求項３の発明を前提とする請求項４の発明（第１，２実施形態に対応）において、前記シート５の絵柄見本６は多孔質部または塗布孔１１である。請求項４の発明では、瓦２の表面に絵付け材７をこの絵柄見本６で容易に塗布することができる。
【００１０】
請求項５の発明にかかる瓦に対する絵付け方法（第５実施形態に対応）においては、複数の瓦２を互いに並べて屋根材として配置する特定並設状態Ｐにある瓦ユニット１の瓦２の表面に剥離紙１３を剥がした絵柄転写シ−ト（絵柄転写シ−ト片１２ａ）を重ね、その絵柄転写シート１２ａを瓦２の表面に対し加熱処理して、この絵柄転写シ−ト１２ａの絵柄８を瓦２の表面に絵付けするとともに、その加熱処理によりこの絵柄８のみを残してこの絵柄転写シ−ト１２ａを除去する。請求項５の発明では、絵柄転写シ−ト１２ａを利用して瓦ユニット１に絵柄８を容易に設けることができる。
【００１１】
請求項６の発明にかかる瓦に対する絵付け方法（第３実施形態に対応）においては、複数の瓦２を互いに並べて屋根材として配置する特定並設状態Ｐにある瓦ユニット１の瓦２の表面に、絵柄８に相当する塗布孔１１を有するシート５を重ね、そのシート５の塗布孔１１で露出する瓦２の表面に絵付け材７を塗布した後、そのシート５を瓦２の表面から分離して瓦２の表面に残った絵付け材７を加熱処理により絵柄８として絵付けする。請求項６の発明では、絵柄８に相当する塗布孔１１を有するシート５を利用して瓦ユニット１に絵柄８を容易に設けることができる。
【００１２】
請求項７の発明にかかる瓦に対する絵付け方法（第４実施形態に対応）においては、複数の瓦２を互いに並べて屋根材として配置する特定並設状態Ｐにある瓦ユニット１の瓦２の表面に、絵付け材７を塗布した後、その絵付け材７を瓦２の表面に加熱処理により絵柄８として絵付けする。請求項７の発明では、瓦ユニット１に絵柄８を容易に設けることができる。
【発明の効果】
【００１３】
この発明では、瓦２や瓦ユニット１に絵柄８を容易に設けることができる。ここに絵柄８は、広く解釈し、意匠的効果を発揮するすべてのものを含む概念で用いる。
【発明を実施するための最良の形態】
【００１４】
まず、本発明の第１実施形態にかかる瓦に対する絵付け方法ついて図１〜３，４ａ，４ｂ，６，７，１２，１３を参照して説明する。
図１（ａ）（ｂ）（ｃ）に示す陶器瓦の概略的製造工程と図２（ａ）に示すいぶし瓦の概略的製造工程では、いずれも、配合した粘土を瓦の形に成形し、その瓦を乾燥する。図１（ａ）では、乾燥後の瓦に絵付処理を施す。図１（ｂ）では、乾燥後の瓦に施釉処理を施した後に、その施釉瓦に絵付処理を施す。図１（ｃ）では、乾燥後の瓦に施釉処理を施した後にその施釉瓦を焼成し、その焼成瓦に絵付処理を施す。図２（ａ）では、乾燥後の瓦を焼成した後に、その焼成瓦に絵付処理を施す。図２（ｂ）に示すセメント瓦の概略的製造工程では、配合した原料を瓦の形に成形してその瓦を乾燥し、乾燥後の瓦を養生した後にその養生瓦に絵付処理を施す。これらの概略的製造工程は、以下詳述する絵付処理以外、従来周知のものである。
【００１５】
図３（ａ）で概略的に示す瓦ユニット１の各瓦２（図１（ａ）では乾燥瓦、図１（ｂ）では施釉瓦、図１（ｃ）では焼成瓦、図２（ａ）では焼成瓦、図２（ｂ）では養生瓦）においては、それぞれ識別符号３（例えば連続番号）が目立たないように小さく表示されている。
【００１６】
図３（ｂ）で概略的に示す固定部材としての固定枠４は底壁４ａと周壁４ｂとからなる。図４（ａ）に示すように、この固定枠４において前記瓦ユニット１の各瓦２を周壁４ｂの内側で底壁４ａ上に互いに並べて実際の屋根材として配置する特定並設状態Ｐで位置決めする。各瓦２の識別符号３において、瓦ユニット１の特定並設状態Ｐで下側になる瓦２の識別符号３が上側になる瓦２により隠される。なお、この固定枠４を利用しないで各瓦２を並べることができる。
【００１７】
図４（ｂ）に示すように、前記固定枠４において、絵柄に相当する絵柄見本６を手仕上げによりまたは機械的に描いた多孔質シート５を周壁４ｂの内側で底壁４ａ上の各瓦２の表面に沿うように重ねて糊等の接着剤によりまたは直接的に貼り付ける。この多孔質シート５は、多数の微細貫通孔を有する紙（和紙や洋紙）や布（不織布や織布）や樹脂フィルムなどであって、各瓦２の表面の凹凸に沿わせることができる程度の可撓性及び柔軟性を有し、一枚であっても複数枚であってもよい。
【００１８】
図６（ａ）（ｂ）に示すように、前記多孔質シート５の絵柄見本６（多孔質部）に絵付け材７を糊等の接着剤を介してまたは直接的に手仕上げによりまたは機械的に塗布すると、その絵付け材７は多孔質部である絵柄見本６で各瓦２の表面まで浸透する。このようにして絵付け材７を塗布した多孔質シート５を図７（ａ）に示すように各瓦２ごとに切断すると、互いに分断された多孔質シート片５ａが貼り付けられた各瓦２を設けることができる。その各瓦２の多孔質シート片５ａのうち一部のものには絵柄見本６に塗布された絵付け材７の一部７ａが絵柄片８ａとして描かれている。その後、この各瓦２を焼成または焼付けして加熱処理すると、図７（ｂ）に示すように、この絵柄片８ａが各瓦２の表面に絵付けされるとともに、この絵柄片８ａ内とこの絵柄片８ａの周辺とで全部またはほぼ全部の多孔質シート片５ａが焼かれて除去される。図示しないが、複数の瓦２を互いに重ねた瓦列ごとにこの多孔質シート５を切断して、互いに分断された多孔質シート片が貼り付けられた瓦列を設けるようにしてもよい。
【００１９】
図１２に示すシート状の瓦配置見本９においては、前記瓦ユニット１の特定並設状態Ｐにおける各瓦２の識別符号３の配置と同様に識別符号９ａが配置されている。図１３に示すように屋根１０に対する実際の瓦敷きにおいて、図７（ｂ）に示す絵柄瓦ユニット１の各瓦２の識別符号３の配置が瓦配置見本９の識別符号９ａの配置と同一になるように、各瓦２を屋根材として並べると、絵柄瓦ユニット１の各絵柄片８ａが前記特定並設状態Ｐで互いに組み合わされて屋根１０の一部に纏まった絵柄８が施される。
【００２０】
次に、本発明の第２実施形態にかかる瓦に対する絵付け方法ついて第１実施形態との相違点を中心に図１〜３，４ａ，５，６，７，１２，１３を参照して説明する。
図５に示すように、前記固定枠４において、絵柄に相当する塗布孔１１を絵柄見本６として形成した多孔質シート５を周壁４ｂの内側で底壁４ａ上の各瓦２の表面に沿うように重ねて糊等の接着剤によりまたは直接的に貼り付ける。図６（ａ）（ｂ）に示すように、この多孔質シート５の塗布孔１１に絵付け材７を糊等の接着剤を介してまたは直接的に手仕上げによりまたは機械的に塗布すると、その絵付け材７は塗布孔１１で露出する各瓦２の表面に塗布される。このようにして絵付け材７を塗布した多孔質シート５を図７（ａ）に示すように各瓦２ごとに切断すると、互いに分断された多孔質シート片５ａが貼り付けられた各瓦２を設けることができる。その各瓦２の多孔質シート片５ａのうち一部のものには塗布孔１１に塗布された絵付け材７の一部７ａが絵柄片８ａとして描かれている。その後、この各瓦２を焼成または焼付けして加熱処理すると、図７（ｂ）に示すように、この絵柄片８ａが各瓦２の表面に絵付けされるとともに、この絵柄片８ａの周辺で全部またはほぼ全部の多孔質シート片５ａが焼かれて除去される。図示しないが、複数の瓦２を互いに重ねた瓦列ごとにこの多孔質シート５を切断して、互いに分断された多孔質シート片が貼り付けられた瓦列を設けるようにしてもよい。また、多孔質シート５以外のシートに塗布孔１１を設けてもよい。
【００２１】
次に、本発明の第３実施形態にかかる瓦に対する絵付け方法ついて第１実施形態との相違点を中心に図１〜３，４ａ，５，６，８，１２，１３を参照して説明する。
図５に示すように、前記固定枠４において、絵柄に相当する塗布孔１１を形成した多孔質シート５を周壁４ｂの内側で底壁４ａ上の各瓦２の表面に沿うように重ねる。図６（ａ）（ｂ）に示すように、この多孔質シート５の塗布孔１１に絵付け材７を糊等の接着剤を介してまたは直接的に手仕上げによりまたは機械的に塗布すると、その絵付け材７は塗布孔１１で露出する各瓦２の表面に塗布される。図８（ａ）に示すように、この多孔質シート５を各瓦２の表面から分離すると、各瓦２の表面には塗布孔１１に塗布された絵付け材７が絵柄８として残る。その後、この各瓦２を焼成または焼付けして加熱処理すると、図８（ｂ）に示すように、この絵柄８の絵柄片８ａが各瓦２の表面に絵付けされる。多孔質シート５以外のシートに塗布孔１１を設けてもよい。
【００２２】
次に、本発明の第４実施形態にかかる瓦に対する絵付け方法ついて第１実施形態との相違点を中心に図１〜３，４ａ，８，１２，１３を参照して説明する。
図８（ａ）に示すように、前記固定枠４において、瓦ユニット１に絵付け材７を手仕上げによりまたは機械的に絵柄８として描く。その後、各瓦２を焼成または焼付して加熱処理すると、図８（ｂ）に示すように、この絵柄８の絵柄片８ａが各瓦２の表面に絵付けされる。
【００２３】
次に、本発明の第５実施形態にかかる瓦に対する絵付け方法ついて第１実施形態との相違点を中心に図１〜３，４ａ，９，１０，１１，１２，１３を参照して説明する。
図９に示す絵柄転写シート１２においては、絵付け材７からなる絵柄８が剥離紙１３と樹脂フィルム１４との間に挟着されている。図１０に示すように、固定枠４において、この絵柄転写シート１２を周壁４ｂの内側で底壁４ａ上の各瓦２上にその表面の凹凸に沿わせるように載せる。次に、固定枠４において、各瓦２ごとにこの絵柄転写シート１２を切断し、分断された絵柄転写シート１２から剥離紙１３を剥がして残った絵柄転写シート片１２ａ（絵柄８ａ及び樹脂フィルム１４ａ）を各瓦２に貼り付けると、図１１（ａ）に示すように、この絵柄転写シート片１２ａを貼り付けた各瓦２を設けることができる。その各瓦２の絵柄転写シート片１２ａのうち一部のものには絵柄片８ａが描かれている。その後、この各瓦２を焼成または焼付けして加熱処理すると、図１１（ｂ）に示すように、この絵柄転写シート片１２ａの絵柄片８ａが各瓦２の表面に絵付けされるとともに、この絵柄転写シート片１２ａの樹脂フィルム片１４ａが除去される。図示しないが、複数の瓦２を互いに重ねた瓦列ごとにこの絵柄転写シート１２を切断して、互いに分断された絵柄転写シート片が貼り付けられた瓦列を設けるようにしてもよい。
【００２４】
本実施形態は下記の効果を有する。
＊  第１〜５実施形態では、瓦ユニット１に絵柄８を容易に設けることができる。
＊  第１，２実施形態では、絵柄８に相当する絵柄見本６（多孔質部または塗布孔１１）を有するシート５を瓦ユニット１に貼り付ければ、その絵柄見本６により瓦ユニット１の表面に絵付け材７を容易に塗布することができる。
【００２５】
＊  第１，２実施形態では、瓦２に絵付け材７の一部７ａを絵付けするために、その瓦２を焼成または焼付けする際、シート片５ａを瓦２からわざわざ分離させることなく、シート片５ａを瓦２に貼り付けたままでその焼成または焼付けにより除去することができる。また、第５実施形態でも、絵柄転写シート片１２ａ（絵柄８ａ及び樹脂フィルム１４ａ）を瓦２に貼り付けたままでその焼成または焼付けにより除去することができる。
【００２６】
＊  第１実施形態では、絵柄８に相当する多孔質絵柄見本６を有するシート５を瓦ユニット１に貼り付けているので、その絵柄見本６が塗布孔１１である場合と比較して、絵柄見本６をシート５に容易に設けることができるとともに、シート５が破損しにくい。
【００２７】
＊  複数の瓦２を互いに並べて屋根材として配置する特定並設状態Ｐで瓦２の表面に描いた絵柄片８ａが互いに組み合わされて纏まった絵柄８が施される絵柄瓦ユニット１を屋根１０にその特定並設状態Ｐで設置すると、屋根１０に絵柄８が描かれ、瓦屋根の意匠的効果を向上させることができる。
【００２８】
前記各実施形態以外にも下記のように構成してもよい。
・  第１〜５実施形態と同様な絵付処理を金属瓦ユニットに施す。
・  第１，２実施形態のように絵柄８に相当する絵柄見本６を有するシート５を利用した絵付処理については、瓦ユニット１ばかりではなく、一枚一枚の瓦２に絵柄８を施す場合にも応用することができる。
【００２９】
・  第１〜５実施形態においては、複数の瓦２を互いに並べて屋根材として配置する特定並設状態Ｐにある瓦ユニット１を例示したが、単に各瓦２を並べた状態の瓦ユニットであってもよい。
【図面の簡単な説明】
【００３０】
【図１】（ａ）（ｂ）（ｃ）はそれぞれ第１〜５実施形態において陶器瓦の概略的製造工程図である。
【図２】（ａ）は第１〜５実施形態においていぶし瓦の概略的製造工程図であり、（ｂ）は第１〜５実施形態においてセメント瓦の概略的製造工程図である。
【図３】（ａ）は第１〜５実施形態において絵付処理前の瓦ユニットを互いに分離して示す平面図であり、（ｂ）は第１〜５実施形態において絵付処理用固定枠を示す平面図である。
【図４】（ａ）は第１〜５実施形態において上記瓦ユニットを上記絵付処理用固定枠内で互いに組み付けた特定並設状態を示す平面図であり、（ｂ）は第１実施形態において（ａ）の状態にある絵付処理用固定枠内で瓦ユニット上に多孔質絵柄見本付きシ−トを重ねた状態を示す平面図である。
【図５】第２，３実施形態において図４（ａ）の状態にある絵付処理用固定枠内で瓦ユニット上に塗布孔絵柄見本付きシ−トを重ねた状態を示す平面図である。
【図６】（ａ）は第１〜３実施形態において上記の多孔質絵柄見本付きシ−トまたは塗布孔絵柄見本付きシ−トに絵付け材を絵柄として塗布した状態を示す平面図であり、（ｂ）は（ａ）の部分断面図である。
【図７】（ａ）は第１〜２実施形態において絵付け材を絵柄として塗布した瓦ユニットを互いに分離して示す平面図であり、（ｂ）は同じく絵付処理後の瓦ユニットを互いに分離して示す平面図である。
【図８】（ａ）は第３〜４実施形態において絵付け材を絵柄として塗布した瓦ユニットを示す平面図であり、（ｂ）は同じく絵付処理後の瓦ユニットを互いに分離して示す平面図である。
【図９】（ａ）は第５実施形態において絵柄転写シートを示す平面図であり、（ｂ）は（ａ）の部分拡大断面図である。
【図１０】第５実施形態において図４（ａ）の状態にある絵付処理用固定枠内で瓦ユニット上に絵柄転写シ−トを載せた状態を示す平面図である。
【図１１】（ａ）は第５実施形態において図１０（ａ）の絵柄転写シ−トを各瓦ごとに切断して重ねた瓦ユニットを互いに分離して示す平面図であり、（ｂ）は同じく絵付処理後の瓦ユニットを互いに分離して示す平面図である。
【図１２】図７（ｂ）、図８（ｂ）及び図１１（ｂ）に示す絵付処理後の瓦ユニットを互いに組み付けて屋根に設置する際に瓦の配置状態の見本となる瓦配置見本を示す平面図である。
【図１３】図７（ｂ）、図８（ｂ）及び図１１（ｂ）に示す絵付処理後の瓦ユニットを互いに組み付けて屋根に設置した状態を示す部分正面図である。
【符号の説明】
【００３１】
１…瓦ユニット、２…瓦、５…多孔質シート、６…絵柄見本、７…絵付け材、８…絵柄、８ａ…絵柄片、１１…塗布孔、１２…絵柄転写シ−ト、Ｐ…瓦ユニットの特定並設状態。
【図１】
2008231899.tif 000003
【図２】
2008231899.tif 000004
【図３】
2008231899.tif 000005
【図４】
2008231899.tif 000006
【図５】
2008231899.tif 000007
【図６】
2008231899.tif 000008
【図７】
2008231899.tif 000009
【図８】
2008231899.tif 000010
【図９】
2008231899.tif 000011
【図１０】
2008231899.tif 000012
【図１１】
2008231899.tif 000013
【図１２】
2008231899.tif 000014
【図１３】
2008231899.tif 000015